(57)【要約】【課題】  実績のあるトレーダーの力を一任勘定という形ではなく借りられるようにし、一般の投資家に対して新しいより有意義なＦＸ投資ツールを提供する。【解決手段】  トレーダー端末１とフォロワー端末２にはトレーディングソフトウェアがインストールされ、トレーディングソフトウェアは、選択された通貨ペアの為替レートの変動を示すチャートを、為替レートに関する指標であるインジケーターとともに表示できる。支援サーバ３には、チャート再現情報をフォロワー端末２に送信することでトレーダー端末１と同じ状態でチャート及びインジケーターをフォロワー端末２に表示させるチャート再現情報送信プログラムが実装されている。【選択図】  図１
2015075824.tif 000002
【特許請求の範囲】
【請求項１】
外国為替証拠金取引を行うトレーダーが操作する端末であってトレーディングソフトウェアがインストールされているトレーダー端末と、トレーダーの投資手法を参考にして外国為替証拠金取引を行おうとする者であるフォロワーが操作する端末であってレーディングソフトウェアがインストールされている端末であるフォロワー端末との間で情報をやり取りする外国為替証拠金取引支援システムであって、
サーバと、
記憶部と
を備えており、
トレーディングソフトウェアは、選択された通貨ペアの為替レートの変動を示すグラフであるチャートをトレーダー端末上に表示できるものであって、当該チャートを、為替レートに関する指標であるインジケーターとともに表示できるものであり、
記憶部には、トレーダー端末に表示されているチャート及びインジケーターの情報を含むチャート再現情報が記憶されており、
サーバには、チャート再現情報をフォロワー端末に送信することでトレーダー端末と同じ状態でチャート及びインジケーターをフォロワー端末に表示させるチャート再現情報送信プログラムが実装されていることを特徴とする外国為替証拠金取引支援システム。
【請求項２】
前記サーバには、前記トレーダー端末において、前記チャート及び前記インジケーターの表示状態が変更された際、その変更を記憶部に記憶するチャート再現情報登録プログラムが実装されていることを特徴とする請求項１記載の外国為替証拠金取引支援システム。
【請求項３】
前記チャート再現情報送信プログラムは、前記記憶部に記憶されているチャート再現情報に変更があった場合、一定の時間間隔で自動的に又はリアルタイムでチャート再現情報を前記フォロワー端末に表示させるプログラムであることを特徴とする請求項２記載の外国為替証拠金取引支援システム。
【発明の詳細な説明】
【技術分野】
【０００１】
本願の発明は、外国為替証拠金取引（いわゆるＦＸ）の支援システムに関するものである。
【背景技術】
【０００２】
外国為替証拠金取引とは、証拠金を業者に預託し、主に差金決済による通貨の売買を行う取引である。日本では、１９９８年に外国為替及び外国貿易法が改正されて外国為替業務が自由化されたことをきっかけに市場が創設され、証券会社や専業のＦＸ業者等、多くの事業者が参入しており、インターネットの普及も手伝って市場が急速に拡大している。【０００３】
ＦＸ取引においては、実際に外国為替取引を行うのは金融庁に登録した業者（以下、ＦＸ業者）である。投資家は、ＦＸ業者に対して口座を開設して証拠金を拠出し、売買の指示を出す。ＦＸ業者は、指示に基づいて売買を行う。為替相場の変動に伴って発生した差益（差金）が利益になり、投資家に払い戻される。
ＦＸは、レバレッジを使うことで証拠金を超える多額の取引を一度に行えること、２４時間いつでも売買ができること、手数料が株式や債券などの他の金融商品に比べて安いことといったメリットがあり、一般のサラリーマンや主婦なども巻き込み、ブームといえるほどの活況を呈している。【０００４】
ＦＸ市場が成長している一つの要因は、投資家が市場の動向を注視し、適切なタイミングで売買を行うための便利なアプリケーションソフトウェアが開発されている点である。これらアプリケーションソフトウェアは、通貨レートの変動をグラフ化して表示する基本的な機能の他、為替レートの変化において売りや買いのタイミングや額を決める際に参考となる指標（テクニカル指標）を併せて表示する機能も持っている。以下、このようなソフトウェアを、この明細書ではトレーディングソフトウェアと呼ぶ。併せて表示されるテクニカル指標は、インジケーターと呼ばれている。【０００５】
また最近では、ある条件が成立したら自動的に売買の注文をＦＸ業者に対して出す自動取引機能を持つトレーディングソフトウェアを登場している。このトレーディングソフトウェアを使用すると、自分が設定した条件が成立した際に売買が自動で行われるので、パソコンにはりついてグラフや指標を常に監視している必要はなく、リスクの点は別にして利便性の点では好適なものとなっている。【０００６】
上記のような機能をもったトレーディングソフトウェアの代表的なものが、メタトレーダー４（MetaTrader4、通称はＭＴ４）である。ＭＴ４は、MetaQuotes Software社（http://www.metaquotes.net/）が提供しているトレーディングソフトウェアであり、多くのＦＸ業者で採用されているプラットフォームである。ＭＴ４は、標準で用意された各種のインジケーターの他、ユーザー自らが任意のインジケーターを作成して使用できることが特長となっている。
【先行技術文献】
【特許文献】
【０００７】
【特許文献１】特開２０１３−８４３１４号公報
【発明の概要】
【発明が解決しようとする課題】
【０００８】
上記のように、ＭＴ４のようなトレーディングソフトウェアは、自前のインジケーターを作成できるようになっていたり、売買の注文を自動で送信する機能を自分で作成して追加することができるようになっていたりしており、ソフトウェアとしての利便性は高い。しかし、どのようにインジケーターや自動売買機能を構築したとしても、実際の取引においては、差益をあげることが保証されている訳ではなく、その時々で差益が出たり差損が出たりということになる。投資家が持っている為替相場についての情報、ＦＸ取引の経験やノウハウ等によって、勝ち負けに差が出てくる。【０００９】
その一方、個人投資家ではあっても、為替市場や各国の金利状況などについて豊富な知識と経験を持つ者が大きな利益を安定的にあげている場合もある。このような者は、トレーダーと呼ばれるが、大きな利益をあげているトレーダーは著名人と言ってもよく、トレーダーのブログが閲覧されたり、大きな利益をあげたトレーダーのインタビュー記事がネット上に掲載されたりしている。【００１０】
このような実績のあるトレーダーの力を借りることで、自分も実績をあげようとする手法がある。その究極とも言える形がコピートレードと呼ばれる手法である。これは、あるトレーダーが実行している自動売買プログラムと全く同じプログラムを別の投資家が自己の端末上で実行する手法である。また、別の形態としては、トレーダーがあるＦＸ取引を行った際、サーバにログインしているすべてのユーザー（他の投資家）の端末において同時に同じ取引が行われるようにする自動売買プログラムも存在している。このような取引は、実績のあるトレーダーの力を借りようとする究極の形であると言えるが、トレーダーに対して運用を一任しているとも解釈でき、投資助言業の枠を越えているとも解釈できる（即ち、金融当局による認可無しには行えない）。他方、一般の投資家にとっても、実績のあるトレーダーの力を借りたいとは思うが、完全に売買を一任するのには躊躇する場合が多い。【００１１】
したがって、投資助言業の枠を越えることなくトレーダーの知識やノウハウを最大限利用できるシステムやサービスがあれば、トレーダーにとっては特別な認可無しに自己の知識やノウハウを提供して対価を得ることができるようになるし、一般の投資家にとっても売買を一任せずに彼らの力を利用できるようになる。
本願の発明は、このような状況に鑑みて為されたものであり、実績のあるトレーダーの力を一任勘定という形ではなく借りられるようにし、一般の投資家に対して新しいより有意義なＦＸ投資ツールを提供することを解決課題とするものである。
【課題を解決するための手段】
【００１２】
上記課題を解決するため、本願の請求項１記載の発明は、外国為替証拠金取引を行うトレーダーが操作する端末であってトレーディングソフトウェアがインストールされているトレーダー端末と、トレーダーの投資手法を参考にして外国為替証拠金取引を行おうとする者であるフォロワーが操作する端末であってレーディングソフトウェアがインストールされている端末であるフォロワー端末との間で情報をやり取りする外国為替証拠金取引支援システムであって、
サーバと、
記憶部と
を備えており、
トレーディングソフトウェアは、選択された通貨ペアの為替レートの変動を示すグラフであるチャートをトレーダー端末上に表示できるものであって、当該チャートを、為替レートに関する指標であるインジケーターとともに表示できるものであり、
記憶部には、トレーダー端末に表示されているチャート及びインジケーターの情報を含むチャート再現情報が記憶されており、
サーバには、チャート再現情報をフォロワー端末に送信することでトレーダー端末と同じ状態でチャート及びインジケーターをフォロワー端末に表示させるチャート再現情報送信プログラムが実装されているという構成を有する。
また、上記課題を解決するため、請求項２記載の発明は、前記請求項１の構成において、前記サーバには、前記トレーダー端末において、前記チャート及び前記インジケーターの表示状態が変更された際、その変更を記憶部に記憶するチャート再現情報登録プログラムが実装されているという構成を有する。
また、上記課題を解決するため、請求項３記載の発明は、前記請求項の構成において、前記チャート再現情報送信プログラムは、前記記憶部に記憶されているチャート再現情報に変更があった場合、一定の時間間隔で自動的に又はリアルタイムでチャート再現情報を前記フォロワー端末に表示させるプログラムであるという構成を有する。
【発明の効果】
【００１３】
以下に説明する通り、本願発明によれば、トレーダー端末に表示されているのと同じ状態でフォロワー端末にチャート及びインジケーターが表示されので、フォロワーはトレーダーが使っている手法を大いに参考にして取引の指示をすることができる。この際にも、取引の指示は、フォロワーの判断にて行われるので、トレーダーの行為は投資助言業の範囲内であり、特に金融当局の認可は必要としない。
【図面の簡単な説明】
【００１４】
【図１】実施形態の外国為替証拠金取引支援システムの概略図である。
【図２】ＦＸ業者を通したＦＸ取引について概略的に示した図である。
【図３】トレーディングソフトウェアが端末上に表示するメイン画面の一例について示した概略図である。
【図４】トレーディングソフトウェアのレイヤ構造について示した概略図である。
【図５】インジケーターの代表例として移動平均線を示した概略図である。
【図６】別の代表的なインジケーターとして、ボリンジャーバンドを示した概略図である。
【図７】さらに別の代表的なインジケーターとして、ＭＡＣＤを示した概略図である。
【図８】トレーダー端末１におけるトレーディングソフトウェアの実装構造を示した概略図である。
【図９】図８に示すトレーダー用ＥＡの概略を示したフローチャートである。
【図１０】フォロワー端末２におけるトレーディングソフトウェアの実装構造を示した概略図である。
【図１１】図１０に示すフォロワー用ＥＡの概略を示したフローチャートである。
【図１２】トレーダー選択ウインドウの一例を示した概略図である。
【図１３】本願発明のより好ましい実施形態の要部について示した概略図である。
【図１４】図１３に示す実施形態の意義について示した概略図である。
【発明を実施するための形態】
【００１５】
次に、本願発明を実施するための形態（以下、実施形態）について説明する。
図１は、実施形態の外国為替証拠金取引支援システムの概略図である。図１に示す外国為替証拠金取引支援システム（以下、ＦＸ取引支援システムという）は、トレーダー端末１とフォロワー端末２との間で情報をやりとりするシステムである。本願発明は、トレーダーが一人のみでフォロワーが一人のみでも理論的には実施可能であるが、実施形態ではこれらが複数存在していることが前提となっており、トレーダー端末１やフォロワー端末２は複数存在する。
【００１６】
各トレーダー端末１は、外国為替証拠金取引（以下、ＦＸ取引という）を行うトレーダーが操作する端末である。各フォロワー端末２は、トレーダーの投資手法を参考にしてＦＸ取引を行おうとする者であるフォロワーが操作する端末である。これら端末は、デスクトップやノート等のパソコンである場合の他、スマートフォンやタブレットコンピュータの場合もあり得る。各トレーダー端末１や各フォロワー端末２は、インターネット１０への接続環境が整えられている。そして、各トレーダー端末１や各フォロワー端末２には、トレーディングソフトウェアがインストールされている。
【００１７】
実施形態のＦＸ支援システムは、サーバ３と、記憶部４とを備えている。サーバ（以下、支援サーバという）３は、インターネット１０を介してトレーダー端末１やフォロワー端末２に接続されている。記憶部４は、支援サーバ３が備えるストレージであるが、支援サーバ３とは別に設けられたストレージサーバの場合もある。支援サーバ３は、Apache HTTP Serverやマイクロソフト社のIIS(Internet Information Service)のようなウェブサーバソフト３１を実装しており、ウェブサーバとして機能するようになっている。従って、支援サーバ３は、各端末１，２との間でhttp通信することが可能である。
【００１８】
支援サーバ３の記憶部４には、各トレーダーの情報を登録したデータベースファイルであるトレーダー登録情報ＤＢＦ５１や、各フォロワーの情報を登録したデータベースファイルであるフォロワー登録情報ＤＢＦ５２が記憶されている。これらＤＢＦには、各トレーダーの認証情報（トレーダーＩＤ及びパスワード）、各フォロワーの認証情報（フォロワーＩＤ及びパスワード）が含まれる。
また、支援サーバ３には、チャート再現情報登録プログラム３２やチャート再現情報送信モジュール３３が実装されており、記憶部４には、各トレーダーについてのチャート属性情報ファイル群６が記憶されている。これらのプログラムやファイルについては、後述する。
【００１９】
トレーダーやフォロワーとしては個人投資家が想定されているが、個人投資家がＦＸ取引のための会社を設立する場合もあり、法人の役員や従業員がトレーダーであったりフォロワーであったりする場合もある。ＦＸ業者と区別し、これらを一般投資家という。一般投資家は、周知のように、自分で外国為替証拠金取引を行う訳ではなく、証券会社等のＦＸ業者を通して取引を行う。トレーディングソフトウェアは、ＦＸ業者から提供される場合が多い。これらの点について、図２を使用して補足的に説明する。図２は、ＦＸ業者を通したＦＸ取引について概略的に示した図である。
【００２０】
図２に示すように、一般投資家は、数あるＦＸ業者の中から一つのＦＸ業者を選び、そのＦＸ業者に口座を開いて証拠金を拠出する。口座を開くとは、実際には、そのＦＸ業者との間で決済を行う自身の銀行口座を指定し、ＦＸ業者の口座への送金やＦＸ業者からの入金を可能することである。
ＦＸ業者は、一般投資家に対してＦＴ取引を募るウェブサイトを開設しており、一般投資家はこのウェブサイトを通じてＦＸ業者を仲介した定常的なＦＸ取引について契約を結ぶ。その後、口座の開設や証拠金の拠出が行われる。一方、図２に示すように、ＦＸ業者からはトレーディングソフトウェアの提供が行われる。
【００２１】
図２に示すように、ＦＸ業者は、ＦＸ取引のためのサーバ（以下、ＦＸ業者サーバという）９を有しており、上記ウェブサイトもこのＦＸ業者サーバによって提供される。ＦＸ業者サーバ９にはトレーディングソフトウェアがアップロードされており、契約をした一般投資家がダウンロードできるようになっている。
実施形態におけるトレーダーやフォロワーも、いずれかのＦＸ業者と契約し、トレーダー端末１やフォロワー端末２にトレーディングソフトウェアをダウンロードしてインストールしている。
尚、ＦＸ業者は、一般投資家に対し、スプレッドを公表している。スプレッドとは、各通貨についての売値と買値の差であり、ＦＸ業者にとっての手数料に相当する。一般投資家は、よりスプレッドの安いＦＸ業者を選んで契約することになる。
【００２２】
トレーディングソフトウェアは、一般投資家がＦＸ取引をする際に殆ど必須とも言えるソフトウェアである。実施形態におけるトレーディングソフトウェアは、トレーダーやフォロワーがＦＸ取引を行う際に参考となる情報を表示するものである。ＦＸ取引は、株取引（株式市場）のような他の取引とはかなり異なる特質を持っており、為替相場の変動を示すグラフ（以下、チャートという）が殆ど全ての取引情報と言っても良い。
【００２３】
株取引であれば、その会社の業績やその会社が属する業界の動向、さらにはその会社のポリシー等、株価自体の変動以外にも多くの要素が考慮に入れられる。しかし、ＦＸ取引の場合、投資家がある通貨を売り又は買う行動を起こす際の指標は、その時点までに為替レートがどのように変動してきているかということにほぼ尽きる。したがって、トレーディングソフトウェアは、チャートを端末上に表示できる機能を有することが必須となる。
【００２４】
このようなトレーディングソフトウェアの代表的なものが、前述したＭＴ４である。トレーディングソフトウェアは、チャートに代表されるＦＸ取引の参考情報を表示できるものであるが、ＦＸ業者に対する指示を端末から行う機能も備えている。
このようなトレーディングソフトウェアについて、図３及び図４を使用して説明する。図３は、トレーディングソフトウェアが端末上に表示するメイン画面の一例について示した概略図、図４は、トレーディングソフトウェアのレイヤ構造について示した概略図である。
【００２５】
この実施形態では、トレーディングソフトウェアはＭＴ４となっている。図３には、ＭＴ４における初期設定時のメイン画面のレイアウトが示されている。ＭＴ４では、図３に示すように、画面の左端の上側に各通貨ペアについて気配値を表示したウインドウ（以下、気配値ウインドウ）８１が表示され、その下に各種のナビゲーターウインドウと呼ばれるウインドウ８２が表示される。その右側には、チャートを表示するウインドウ（チャートウインドウ）８３が表示される。初期設定では、図３に示すように、四つのウインドウが表示され、それぞれのウインドで選択された通貨ペアの為替レートの変動がグラフ表示される。
【００２６】
画面の下側には、ターミナルウインドウと呼ばれるウインドウ８４が表示される。ターミナルウインドウ８４は、取引の履歴や口座の入出金の履歴、操作履歴等を表示するウインドウである。
この他、初期設定では表示されないが、チャートで表示されている為替レート変動の詳細を表示するウインドウや自動売買の際の検証を行うウインドウも表示できるようになっている。これらウインドウのサイズやレイアウトは、ユーザーが自由にカスタマイズできる。
【００２７】
また、チャートの表示についても、各種のカスタマイズが可能となっている。例えば、チャートについては、「ロウソク足」、「バーチャート」、「ラインチャート」の三種類の表示が標準で選べるようになっている。チャートを表示する際の時間軸についても、１分毎（１分足）、５分毎（５分足）、３０分毎（３０分足）、１時間（時間足）、４時間毎（４時間足）、１日毎（日足）、１週間毎（週足）、１ヶ月毎（月足）というように変更することができるようになっている。これらのカスタマイズは、ツールバーの「チャート」をクリックすることで行える。
【００２８】
また、ＭＴ４では、インジケーターと呼ばれるテクニカル指標をチャートについて表示できるようになっている。インジケーターは、チャート中に吹き出しのように追加して表示されるものや、チャートウインド中にチャートとは別にグラフとして表示されるもの、チャートの表示の仕方（色など）を変えることで指標とするものなど、種々のものがある。
【００２９】
インジケーターの代表的なものを幾つか説明する。
図５は、インジケーターの代表例として移動平均線を示した概略図である。図５（１）に示すチャートにおいて移動平均線を追加して表示したのが図５（２）である。移動平均線は、ごくごく基本的なインジケーターであり、ある一定期間の為替レートの各終値を平均化して、その数字を結んでいった線のことである。移動平均線は、その為替レートのトレンド（傾向）や勢いを知ることができるものである。平均値を出す期間は、任意に設定できる。ＭＴ４では、ナビゲーターウインドウにある「罫線分析ツール」の「moving average」をクリックすることで移動平均線をチャート中に表示することができる。
【００３０】
図６は、別の代表的なインジケーターとして、ボリンジャーバンドを示した概略図である。図６（１）に示すチャートにおいてボリンジャーバンドを追加して表示したのが図６（２）である。ボリンジャーバンドは、移動平均線の上下に値動きの幅を示す線を加えたインジケーターである。移動平均線からの乖離が大きくなり、行き過ぎた状態の時に買ったり売ったりする指標として使用される。
【００３１】
図７は、さらに別の代表的なインジケーターとして、ＭＡＣＤ（通称：マックディー）を示した概略図である。図７（１）に示すチャートにおいてＭＡＣＤを追加して表示したのが図７（２）である。ＭＡＣＤは、正式には「移動平均収束拡散法」と呼ばれるものであり、短期移動平均線と長期移動平均線の差を意味する。したがって、パーセンテージではなく実際の為替レートの値幅が単位になる。
図５〜図７に示した以外にも、ＭＴ４には、ＣＣＩ(Commodity Channel Index)やAlligatorといった様々なインジケーターが標準で実装されており、任意のインジケーターを選んでチャートとともに表示することができるようになっている。
【００３２】
また、ＭＴ４では、標準実装のインジケーターの他、自作したインジケーターや他のユーザーが作ったインジケーターを表示できるようになっている。これらはカスタムインジケーターと呼ばれ、ダウンロードの時点でサーバにアップされているものは併せてインストールされるし、その後にアップされたものについてもサーバへのアクセスにより追加してダウンロードして使用することができるようになっている。これらのカスタムインジケーターは、図３に示すナビゲーターウインドウ内の「カスタムジンジータ」をクリックして任意のカスタムインジケーターを選択することでチャートウインドウに表示することができる。
【００３３】
さらに、ＭＴ４では、ＥＡ(Expert Advisor)と呼ばれる機能が実装されている。ＥＡは、トレーディングソフトウエア上で自動的に売買の指示をＦＸ業者に対してするプログラムである。ＥＡについても、標準実装されたものの他、自作したものや他のユーザーが作ったものをＭＴ４上で実行することができるようになっている。
【００３４】
このようなＭＴ４のソフトウェアとしてのレイヤ構造について示した概略図である。ＭＴ４は、現在のところＷｉｎｄｏｗｓ（マイクロソフト社の登録商標）ＯＳ上で動作するようになっている。図４に示すように、ＷｉｎｄｏｗＯＳ上では、エクスプローラやＨＴＴＰ通信のためのＡＰＩ、各種ＤＬＬが実装されており、インストールされたＭＴ４がこれらとともに実装される。
【００３５】
ＭＴ４は、大まかには、プログラム層とデータ層とに分かれている。プログラム層は、プログラム層は、ＯＳを介してサーバ９との間の通信により取得した為替レートのデータをデータ層に一時的に記憶したり、記憶したデータをＯＳに準拠したウインドウで表示したりする基本的なモジュール（以下、基本モジュールという）６１を含む。プログラム層は、この他、インジケーター６２やＥＡ６３を記述した言語であるＭＱＬを司るＭＱＬ層６０と、ＭＱＬ層６０上で動作するインジケーター６２やＥＡ６３とを含んでいる。ＭＱＬ層６０は、指定されてＭＱＬプログラムをコンパイルして実行し、インジケーター６２をチャートウインドウに表示したり、自動売買を実行したりする。尚、インジケーター６２やＥＡ６３は、前述したように標準実装のものとカスタムメイドのものとが含まれるが、ＭＱＬ層６０上で特に区別はされない。
【００３６】
そして、基本モジュール６１によって読み出したり記憶されたりするデータ層は、ユーザーが、前回の画面の表示状態を次回に再現するためのデータや、ユーザーの過去の売買履歴を確認のために記憶したデータ等が含まれる。尚、ＤＬＬは、ＭＴ４の基本モジュール６６１から読み出される場合もあり、ＭＴ４用のＤＬＬが自作されて実装される場合もある。
【００３７】
さて、実施形態のＦＸ取引支援システムは、このようなトレーディングソフトウェアとしてのＭＴ４がインストールされている端末１，２間でチャート再現情報をやり取りするものとなっている。チャート再現情報とは、トレーダー端末１で表現されているものを同じ状態でフォロワー端末２にチャートが表示されるようにするものである。以下、この点について説明する。
【００３８】
図８は、トレーダー端末１におけるトレーディングソフトウェアの実装構造を示したものであり、図４とほぼ同様の図である。図８に示すように、トレーダー端末１では、ＭＱＬ層にトレーダー用ＥＡ６３１が実装されている。「トレーダー用ＥＡ」とあえて記載したが、これは、自動売買用のプログラムではない。ＭＴ４上で動作するようにＭＱＬ言語で記述されているが、自動売買用のプログラムではなく、支援サーバ３に対してチャートウインドウ再現用の送信を行うプログラムである。したがって、この明細書において、ＥＡとは、自動売買に限らず、ＭＴ４上で動作するＭＱＬで記述されたプログラム（インジケーターを除く）を意味する。
【００３９】
図９は、図８に示すトレーダー用ＥＡの概略を示したフローチャートである。図８に示すように、他のＥＡと同様に、ＭＱＬ層６０上に設けられており、ＭＱＬ言語で記載されたプログラムモジュールである。したがって、図２に示す画面上では、ナビゲーターウインドウ内の「エキスパートアドバイザー」の欄に起動ボタンが設けられる。この起動ボタンがクリックされると、トレーダー用ＥＡがＭＴ４上で常駐した状態になり、ＭＴ４が終了されるまで実行状態が維持される。尚、ＭＴ４は、Win32APIが使えるようになっており、図９に示す幾つかのステップは、Winsockや各種ＤＬＬを利用して行われる。
【００４０】
図９に示すように、トレーダー用ＥＡが起動すると、トレーダーの認証が行われる。トレーダー用ＥＡは、ＩＤ及びパスワードを入力する画面をトレーダー端末１上に表示し、入力されたＩＤ及びパスワードを支援サーバ３に送って認証を求めるようになっている。認証が正しくされた場合、そのトレーダー端末１は、トレーダー端末１として支援サーバ３にログオンされた状態となり、チャート再現情報の初期送信を行う。
【００４１】
チャート再現情報は、トレーダーがトレーダー端末１に表示しているのとほぼ同じ画面をフォロワー端末２に表示するための情報である。チャート再現情報は、トレーダーがトレーダー端末１に表示しているのを同じチャートを同じ状態でフォロワー端末２に表示することで、フォロワーが自分の取引の参考にしようとするものである。トレーダーが行う取引と同じ取引をフォロワーがしようとするものではないため、この実施形態では、トレーダーが実際に行った（又は行おうとしている）取引に関する情報は、チャート再現情報には含まれない。例えば、トレーダーが過去に行った取引の実績情報（ターミナルウインドウに表示される情報）や、トレーダーが取引を指示するためのウインドウ内の情報などは、チャート再現情報には含まれない。
【００４２】
チャート再現情報は、トレーダー端末１のチャートウインドウ内に表示されるチャート及びインジケーターを再現するための情報である。したがって、
・通貨ペア
・チャートの種類
・時間足の長さ
・同時に表示するインジケーター
を特定するための情報が含まれる。これらの情報は、チャートウインドウに表示するチャートの属性情報として一つのファイル（以下、チャート属性情報ファイル）に記録される。
【００４３】
チャート属性情報ファイルのうち、チャートの種類や時間足の長さなどは、ＭＴ４の基本モジュールが扱う標準の属性情報である。インジケーターについては、標準実装のものもあるが、カスタマイズされたもの（ユーザーが作ったインジケーター）もある。インジケーターは、ＭＴ４ではＭＱＬ言語で書かれており、.mq4という識別子で登録されたファイルである。したがって、チャート属性情報ファイルには、インジケーター用のＭＱＬ言語ファイルのファイル名の情報が含まれる。
【００４４】
図１に示すように、支援サーバ３の記憶部４には、登録されているトレーダー毎にチャート属性ファイル６００が記憶されている。各チャート属性情報ファイル６００は、トレーダーＩＤを使用したファイル名となっている。トレーダー用ＥＡは、ログイン後、ＭＴ４の起動パス（TerminalPath)を支援サーバ３のＵＲＬに変更する。そして、支援サーバ３の記憶部４からそのトレーダーＩＤについてのチャート属性情報ファイル６００を読み出し、そのチャート再現情報で当該トレーダー端末１上のＭＴ４を動かすようプログラミングされている。
【００４５】
支援サーバ３の記憶部４から読み出したチャート再現情報でトレーダー端末１上のＭＴ４が表示されると、トレーダー用ＥＡは、スタンバイ状態となる。スタンバイ状態では、トレーダーがインジケーターの変更、追加又は削除（以下、インジケーターの変更と総称する）を行いチャート再現情報が変更されない限り、支援サーバ３との通信はない。トレーダーがインジケーターを変更する操作が行われると、チャート属性情報ファイル６００は支援サーバ３上にあるため、HTTPのGet文によりインジケーターのファイルがリクエストされ、支援サーバ３からpostされてトレーダー端末１に表示される。この際、チャート属性情報ファイル６００も更新される。即ち、トレーダー用ＥＡとプログラム間通信を行う支援サーバ３上のプログラムであるチャート再現情報登録プログラム３２が、変更されたチャート再現情報をチャート属性情報ファイル６００に書き込んでファイルを更新する。
【００４６】
例えば、あるＡというインジケーターがindicator1.mq4というファイル名で実装されており、トレーダーがこのインジケーターを追加しようとした場合、トレーダーは、チャートウインドウにおいてインジケーターＡをクリックする。この際、ＭＴ４は、支援サーバ３の記憶部４からindicator1.mq4を呼び出し、チャートウインドウ８３に追加して表示する。
【００４７】
トレーダー用ＥＡは、チャート再現情報の変更がリクエストされるたびに支援サーバ３とＨＴＴＰ通信し、チャート属性情報ファイル６００を更新させる。そして、トレーダー端末１において、支援サーバ３との接続を解除する送信（ログオフ）が行われたり、トレーダー用ＥＡを終了させる操作が行われたり、又はＭＴ４の終了の操作が行われたりする操作が行われると、トレーダー用ＥＡの実行は終了する。
【００４８】
次に、フォロワー用ＥＡについて説明する。
また、図１０は、フォロワー端末２におけるトレーディングソフトウェアの実装構造を示したものであり、図４とほぼ同様の図である。図１０に示すように、フォロワー端末２では、ＭＱＬ層６００上にフォロワー用ＥＡ６３２が実装されている。フォロワー用ＥＡ６３２は、支援サーバ３に対してチャートウインドウ再現用の受信を行うプログラムモジュールである。
【００４９】
図１１は、図１０に示すフォロワー用ＥＡの概略を示したフローチャートである。図１０に示すように、ＥＡと同様にＭＱＬ層６０上に設けられており、ＭＱＬ言語で記載されたプログラムモジュールである。図３に示す画面上では、ナビゲーターウインドウ内の「エキスパートアドバイザー」の欄に起動ボタンが設けられる。例えば、「コピーインジケーター（フォロワー用）」といった名前で起動ボタンが設けられる。この起動ボタンがクリックされると、フォロワー用ＥＡがＭＴ４上で常駐した状態になり、ＭＴ４が終了されるまで実行状態が維持される。
【００５０】
図１１に示すように、フォロワー用ＥＡが起動すると、フォロワーの認証が行われる。フォロワー用ＥＡは、ＩＤ及びパスワードトレーダーを入力する画面をフォロワー端末２上に表示し、入力されたＩＤ及びパスワードを支援サーバ３に送って認証を求めるようになっている。認証が正しくされた場合、フォロワー用ＥＡは、トレーダー選択ウインドウをフォロワー端末２に表示する。図１２は、トレーダー選択ウインドウの一例を示した概略図である。図１２に示すように、そのトレーダー選択ウインドウは、トレーダー名やコメント（トレーダーの紹介文）がリスト表示されるウインドウである。
【００５１】
支援サーバ３の記憶部４に記憶されたトレーダー登録情報ＤＢＦの各レコードは、「トレーダー名」や「コメント」等のフィールドを含んでいる。フォロワー用ＥＡは、支援サーバ３にアクセスしてトレーダー情報ＤＢＦの内容を取得し、図１２に示すようにトレーダー選択ウインドウ内に表示するようプログラミングされている。
【００５２】
トレーダー選択ウインドウにおいて、各トレーダーのリストの各行の末尾には、「選択する」と表記されたコマンドボタンが設けられている。このコマンドボタンには、名選択されたトレーダーのチャート再現情報を支援サーバ３に送信させるチャート再現情報送信モジュール３３のスクリプトが記述されている。図８に示すように、チャート再現情報送信モジュール３３は、選択されたトレーダーのチャート属性情報ファイルの内容を自己の端末（フォロワー端末２）上で稼働しているＭＴ４のチャート属性情報ファイルに上書きして記録し、ファイルを更新する。この際、トレーダー端末１においてインジケーターの追加や変更等が行われていなければ、フォロワー端末２でも何の変化も生じないが、何かが変更されていれば、フォロワー端末２上でも全く同様に変更される。フォロワー用ＥＡは、その後、一定間隔をおいて支援サーバ３にアクセスし、選択したトレーダーのチャート属性情報ファイルを読み出し、同様に自己のチャート属性情報ファイルに上書きにして記録し、ファイルを更新する。
【００５３】
このようしてトレーダー端末１上のチャート属性情報ファイルの内容と同じ内容になるように、フォロワー端末２上のチャート属性情報ファイルが自動更新される。自動更新の周期は、上記支援サーバ３へのアクセスを行う一定間隔であるが、この間隔は例えば５〜６０秒程度に設定される。尚、図８に示すように、プログラム終了の操作がフォロワー端末２において行われると、フォロワー用ＥＡは終了する。支援サーバ３との接続を解除する送信（ログオフ）、フォロワー用ＥＡを終了させる操作、又はＭＴ４の終了操作等である。
尚、フォロワー端末２が支援サーバ１からのアクセスを受け付ける設定になっている場合、支援サーバ３上のチャート属性情報ファイルが変更された場合、直ちに（リアルタイムで）チャート再現情報をフォロワー端末に２に送り、フォロワー端末２に受信させて更新させるようチャート再現情報送信プログラムが支援サーバ３に実装される場合もある。
【００５４】
上述した実施形態のＦＸ取引支援システムによれば、トレーダー端末１に表示されているのと全く同じ状態でフォロワー端末２上にチャートが表示される。このため、フォロワーは、トレーダーが注目している通貨ペアと同じ通貨ペアを同じチャートで見ることができ、且つトレーダーが使っているインジケーターを同じように使用してチャートを見ることができる。つまり、実績をあげているトレーダーと同じようにＭＴ４を使用して取引をすることができる。このため、フォロワーにおいて、ＦＸ取引の実績をあげるのに大いに役立つ。
尚、上記のようにフォロワーがトレーダー端末１上と同じチャートを参照したとしても、実際の取引は、フォロワーの独自に判断によることは言うまでもない。
【００５５】
また、上記実施形態において、トレーダーが過去に行ったＦＸ取引の情報やこれから行おうとしているＦＸ取引の情報は、画面再生情報には含まれない。したがって、フォロワーは、これらの情報を知ることはできない。但し、トレーダーの了解のもと、これらの情報を画面再生情報に含めても良い。この場合、トレーダーが行った取引又は行おうとしている取引と同じ取引をフォロワーがする場合もあり得る。この場合も、その取引はフォロワーの独自の判断であくまで行われる。
【００５６】
実施形態の方法は、実績のあるトレーダーの力を借りる手法であるという点では、前述したコピートレードと共通している。しかしながら、実施形態の支援システムは、実績のあるトレーダーの力を借りようとするものではあるものの、トレーダーが見ているチャートと同じチャートを見ながら売買をするものであり、同じ取引をさせるものではない。つまり、インジケーター込みのチャートをコピーするものであって、トレードをコピーするものではない。したがって、後述するようにトレーダーからコメントがフォロワーに提供されるとしても、あくまで投資助言業の範囲内であり、認可が必要な一任勘定には該当しない。
【００５７】
このため、トレーダーは、金融当局による認可を受けることなくこのシステムへの登録を行い、後述するように自己のノウハウの提供の対価を受け取ることができる。また、フォロワーにおいても、売買自体は自己の判断で行いつつも、トレーダーの知識やノウハウを最大限活かしてＦＸ取引を行うことができる。このようなＦＸ取引の支援ツールは、これまで全く提案されたことはなく、またこのような考え方のサービスが提供されたこともない。実施形態の支援システムは、上記のような有意義でユニークな考え方に基づくものであり、その有用性は極めて高い。
【００５８】
尚、チャート再現情報がフォロワー端末２に送信されてチャート属性情報ファイルが更新された際、インジケーターは、前述したように、.mq4の識別子で記録されたファイル名である。ＭＴ４の基本モジュールは、このファイル名のインジケーターを当該フォロワー端末２の所定の場所（フォルダ）に開こうとする。もし、このファイル名のインジケーターが無い場合、そのカスタムインジケーターが当該フォロワー端末２のＭＴ４上では登録されていないことになるので、フォロワー用ＥＡは、例外処理として、当該未登録のインジケーターを新たに登録するモジュールを実行する。
【００５９】
実施形態のシステムでは、支援サーバ３においてカスタムインジケーターをデータベース化して集積している。即ち、支援サーバ３の記憶部４には、インジケーターの情報（インジケーター名、ファイル名、説明等）をデータベース化したインジケーター情報ＤＢＦとともに、インジケーターのファイル自体が記憶されている（いずれも図１において図示省略）。
【００６０】
ここに登録されているインジケーターとは、ＭＴ４に標準実装されていないインジケーターでチャート再現情報ＤＢＦで登録されているチャート再現情報に含まれるインジケーターのすべてを少なくとも含む。前述したチャート再現情報受信プログラムは、チャート再現情報がトレーダー端末１から送信された際、そこに含まれるインジケーターのファイル名でインジケーター情報ＤＢＦを検索し、登録済みのインジケーターであるかどうか判断する。未登録であれば、トレーダー端末１に対してインジケーターのファイルを送信させるモジュールを実行させる。このモジュールは、通常のｆｔｐと同様であり、場所を指定させてインジケーターのファイルを転送させるモジュールであり、転送されたファイルを支援サーバ３の記憶部４に記憶する。その上で、チャート再現情報受信プログラムは、そのインジケーターの情報をインジケーター情報ＤＢＦに追加して記録する。
【００６１】
一方、フォロワー用ＥＡは、送信されたチャート再現情報内のインジケーターが当該フォロワー端末２では未登録であった場合、支援サーバ３にアクセスし、インジケーターを転送させるモジュールを実行する。これにより、記憶部４からインジケーターのファイルが読み出され、フォロワー端末２のＭＴ４上に登録される。このように、インジケーターがフォロワー端末２上で未登録であった場合でも、支援サーバ３からダウンロードして追加登録されるので、トレーダー端末１と全く同じようにチャートを見ることができる。
【００６２】
尚、未登録のインジケーターのダウンロードは、このシステムの支援サーバ３を経由したものでなくとも良い。例えば、標準実装ではない特殊なインジケーターの場合、それがダウンロードできるＵＲＬをトレーダー端末１から送信させてインジケーター情報ＤＢＦに登録しておき、フォロワー用ＥＡに対しては当該ＵＲＬを送信することでダウンロードさせる構成であっても良い。但し、そのような外部のサーバ（ＵＲＬ）は、その後に閉鎖されたりすることもあるので、支援サーバ３上にきちんとインジケーターのファイルを用意しておく方が好ましい場合が多い。
【００６３】
次に、本願発明のより好ましい実施形態について説明する。図１３は、本願発明のより好ましい実施形態の要部について示した概略図である。
上記のように、実施形態のＦＸ取引支援システムでは、トレーダー端末１からチャート属性情報ファイルの内容が支援サーバ３経由でフォロワー端末２に送られ、トレーダーが見ているのと同じチャートがフォロワー端末２に表示される。このような支援システムの構成において、トレーダーは、自分がカスタマイズしてトレーダー端末１に表示しているチャートと同じものをフォロワーが見ていることを当然に意識している。トレーダーがチャート再現情報を送信するということは、広い意味では、「私はこのように為替相場を分析しています」というメッセージをフォロワーに送っていることであるといえる。
【００６４】
ただ、メッセージとはいっても、送られのは、チャートに追加して表示するグラフや補助線、矢印等である。トレーダーは、これらのグラフや補助線、矢印等についてある意味を持たせて又は意図を持って追加（カスタマイズ）しているが、その意味や意図については、なかなかフォロワーには伝わりきらない。そのような意味や意図についてもフォロワーに伝わるようにすると、より好ましいといえる。
【００６５】
この点を考慮し、図１３に示す実施形態では、そのような意味付けや意図に関する情報をインジケーターとともにトレーダー端末１から送信されるようにし、フォロワー端末２に表示されるようにしている。具体的に説明すると、ＭＴ４では、チャートに対するテキスト挿入の機能が実装されている。図３に示すメイン画面において、メニューバーの「挿入（Ｉ）」をクリックすると、プルダウンメニュー中に「テキスト」のボタンが表示される。これをクリックすると、図１４に示すようにチャートウインドウ内にテキスト７を挿入することができる。
【００６６】
テキスト７の挿入は、通常、ユーザーが備忘録的なメモとして行われる。しかしながら、この実施形態では、トレーダーがフォロワーに対して送るメッセージ（以下、コメントという）として行われる。このようなコメントの意義について、図１４を例にして説明する。図１４は、図１３に示す実施形態の意義について示した概略図である。
為替レートの変動のパターンを示すものとして、例えばダブルトップやダブルボトムが知られている。図１４（１）に示すものがダブルトップであり、（２）に示すのが、ダブルボトムである。
【００６７】
ダブルトップやダブルボトムについては、ネックラインと呼ばれるインジケーターが付与されることが多い。ネックラインは、図１４に示すように、一回めのトップ（又はボトム）と二回目のトップ（又はボトム）との間のピークとなったボトム（又はトップ）の気配値（レート）を通るようにして横軸に平行に引いた補助線である。ダブルトップ（図１４（１））では、二回目のトップの後にレートが下がり、ネックラインを下回るタイミングが売りのタイミングであるとされる場合がある。また、ダブルボトム（図１４（２）では、二回目のボトムの後に気配値が上がり、ネックラインを上回るタイミングが買いのタイミングであるとされる場合がある。
【００６８】
トレーダーは、ダブルトップやダブルボトムとなる気配値変動に対してネックラインが自動で追加されるようにインジケーターをカスタマイズしている場合がある。この場合、一言でダブルトップやダブルトップといっても実際のレート変動は様々であり、図１１に示すような明確な形（変動）になっていない場合が多い。例えば、一方のトップ（ボトム）が他方のトップ（ボトム）より小さかったり、二つのトップ（又はボトム）の間がかなり離れていたり、トップ（又はボトム）が三つ以上あったりと、様々なパターンとなり得る。このような場合、ネックラインが引いてあっても、それを指標にした売りや買いのタイミングは、微妙に異なってくる場合がある。
【００６９】
このような場合、トレーダーは、ネックラインが付与されているダブルトップ（又はダブルボトム）について、どこどこのタイミングが売り（又は買い）であるとか、何々のタイミングまで様子をみるべきといったコメントを追加する。このコメント（挿入されたテキスト）は、インジケーターと同様にチャートウインドウの属性情報であり、ＭＴ４ではチャート属性情報ファイル内に記録される。したがって、トレーダーがコメントを入れると（テキストを挿入すると）、すぐさまその情報は支援サーバ３に送られて  チャート属性情報ファイルに記録され、フォロワー端末２に送信されて表示される。このため、フォロワーは、単にネックラインをトレーダーと同じように見るだけではなく、その通貨ペアのその瞬間のレート変動についてトレーダーが予測する変動や考えている売買のタイミングなどを知ることができる。尚、この場合も、これらコメントはあくまでのトレーダーの見解に過ぎず、実際の売買はフォロワーが自己責任にて行われることは言うまでもない。
【００７０】
次に、上記実施形態の支援システムにおけるトレーダーへの対価支払いについて説明する。上記のように、実施形態の支援システムは、トレーダー端末１からチャート再現情報が送信され、トレーダー端末１で表示されているのと同じチャートが同じ状態でフォロワー端末２に表示される。この点は、トレーダーにとっては、自己のＦＸ取引のノウハウをフォロワーに提供していることになるので、トレーダーに対して対価が支払われるべきである。
【００７１】
通常、この支援システムを運営している運営会社（以下、システム運営会社）は、トレーダーとの間で契約を結ぶ。この契約には、トレーダー端末１からのチャート再現情報の送信とその対価に関する取り決めが含まれる。対価は、例えば月極で支払われるが、肝心なことは、トレーダーがチャート再現情報を支援サーバ３に対してきちんと送信しているか（又は送信可能な状態にしているか）である。
【００７２】
この点を考慮し、実施形態の支援サーバ３は、トレーダー端末１についてのログ記録を残し、対価支払いに利用するようにしている。トレーダー端末１は、通常、２４時間インターネット１０に接続され、ＭＴ４は常時稼働しており、トレーダー用ＥＡも常駐（常時実行）された状態となっている。つまり、インジケーター等のチャート属性情報が変更されたら直ちにそれが送信されるようになっていることを前提にしており、これが一ヶ月間継続されることを前提に対価が支払われる。したがって、何らかの理由でログオフされた場合（セッションが解除された場合）、その間はトレーダー端末１からチャート再現情報が送信され得ない状態となる。この場合、その送信不可の時間帯の記録を残し、その時間に応じて対価の支払いを減額することができる。例えば、１時間までは減額はないが、１時間以上であれば、時間に応じて減額することとし、３時間以上であれば契約違反であるとして対価の支払いの拒否するようにする。
【００７３】
また、フォロワーからのアクセスのログ記録を対価の支払いに利用することもできる。前述したように、フォロワー用ＥＡは、トレーダーを選択して行われる。したがって、特定のトレーダーを指定してログインされているフォロワー端末２の数やセッションの通算時間（同じチャートを閲覧している合計時間）も、ログ記録から算出することができる。この情報は、そのトレーダーの人気を示すものであると言えるが、これを基準にして対価を支払うようにしても良い。場合によっては、特定のトレーダーについてのフォロワーによるチャート閲覧ののべ時間（フォロワー端末２の数×平均セッション時間）を算出し、これを基準にしても良い。
【００７４】
このようなログ記録からの通算のセッション時間の算出は、プログラムにより自動化することができ、プログラム自体は容易なものであるので、詳細な説明は省略する。通常は、システム運営会社のスタッフが操作する権限のあるクライアントが支援サーバ３に対して接続され、クライアントが支援サーバ３の記憶部４上のログ記録ファイルにアクセスすることで上記各算出が行われる。
【００７５】
尚、各トレーダーについては、システム運営会社が個別に交渉して支援システムへのチャート再現情報の送信について了解をもらう場合が多いが、フォロワーへのサービス提供については、インターネット広告等を通じてサービスの存在を知ってもらい、利用してもらうことになる。例えば、ＦＸ業者のサイト上のバナー広告やＦＸ情報サイトのバナー広告、トレーダーのブログに貼られたアフィリエイト広告等が考えられる。これらをクリックすると、システム運営会社のウェブサイトに飛び、そこでフォロワー用ＥＡがダウンロードできるよう構成される。このダウンロードの際、フォロワーはシステム運営会社と契約を結び、サービスの利用料の支払いについて取り決める。取り決めの後、フォロワーとしてのＩＤ及びパスワードが発行される。
【００７６】
上記各実施形態では、チャート再現情報はチャート属性情報ファイルに記録された情報であり、チャート属性情報ファイルを支援サーバ３上に置かれたファイルであったが、チャート属性情報ファイルは、トレーダー端末１に置かれたファイルとし、チャート属性情報ファイルの内容を支援サーバ３に逐次送信して支援サーバ３上に登録しても良い。この場合、支援サーバ３の記憶部４には、各トレーダーについてのチャート再現情報をデータベース化したデータベースファイルが記憶され、トレーダー用ＥＡは、トレーダー端末１においてチャート属性情報ファイルが更新されるたびにその内容を支援サーバ３に送信してデータベースファイル内の当該トレーダーのレコードに上書きして記録するようプログラミングされる。この場合、フォロワー用ＥＡは、指定されたトレーダーのレコードの情報を一定間隔で読み出し、各項目の情報で自己のチャート属性情報ファイルを更新するようプログラミングされる。
【００７７】
尚、上記各実施形態では、ＭＴ４の本体のプログラム（本体モジュール）は端末（トレーダー端末１、フォロワー端末２）上のプログラムであったが、ＭＴ４自体が支援サーバ３上のプログラムであっても良い。この場合、トレーダー端末１では、支援サーバ３へのトレーダーとしてのログイン用プログラムがインストールされ、これを実行してログインすると、支援サーバ３上のＭＴ４がトレーダーとしてのモードで実行される。このモードでは、チャート再現情報は、トレーダーＩＤのファイル名で記録されている支援サーバ３上のチャート属性情報ファイルに記録される。また、フォロワー端末２でも、フォロワーとしてのログイン用のプログラムがインストールされ、これが実行されると、フォロワーとしてのモードでＭＴ４が実行される。フォロワーとしてのモードでは、指定されたトレーダーのチャート属性情報ファイルの内容でチャートウインドウが表示されるようになっており、チャートウインドウは自分では変更できないモードとされる。
【００７８】
尚、上記各実施形態では、トレーディングソフトウェアとしてＭＴ４を採り上げたが、ＭＴ４以外のトレーディングソフトウェアを使用する場合にも本願発明は実施できることは言うまでもない。
【符号の説明】
【００７９】
１  トレーダー端末
２  フォロワー端末
３  支援サーバ
４  記憶部
６  チャート属性情報ファイル群
６０  ＭＱＬ層
６１  基本モジュール
６００  チャート属性情報ファイル
６３１  トレーダー用ＥＡ
６３２  フォロワー用ＥＡ
【図１】
2015075824.tif 000003
【図２】
2015075824.tif 000004
【図３】
2015075824.tif 000005
【図４】
2015075824.tif 000006
【図５】
2015075824.tif 000007
【図６】
2015075824.tif 000008
【図７】
2015075824.tif 000009
【図８】
2015075824.tif 000010
【図９】
2015075824.tif 000011
【図１０】
2015075824.tif 000012
【図１１】
2015075824.tif 000013
【図１２】
2015075824.tif 000014
【図１３】
2015075824.tif 000015
【図１４】
2015075824.tif 000016
【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
外国為替証拠金取引を行うトレーダーが操作する端末であってトレーディングソフトウェアがインストールされているトレーダー端末と、トレーダーの投資手法を参考にして外国為替証拠金取引を行おうとする者であるフォロワーが操作する端末であってレーディングソフトウェアがインストールされている端末であるフォロワー端末との間で情報をやり取りする外国為替証拠金取引支援システムであって、
サーバと、
記憶部と
を備えており、
トレーディングソフトウェアは、選択された通貨ペアの為替レートの変動を示すグラフであるチャートをトレーダー端末上に表示できるものであって、当該チャートを、為替レートに関する指標であるインジケーターとトレーダーによるコメントとともに表示できるものであり、コメントはテキストであってトレーダーによる為替レートの変動に関する見解であり、
記憶部には、トレーダー端末に表示されているチャート、インジケーター及びコメントの情報を含むチャート再現情報が記憶されており、
サーバには、チャート再現情報をフォロワー端末に送信することでトレーダー端末と同じ状態でチャート、インジケーター及びコメントをフォロワー端末に送信するためのチャート再現情報送信プログラムが実装されていることを特徴とする外国為替証拠金取引支援システム。
【請求項２】
前記サーバには、前記トレーダー端末において、前記チャート、前記インジケーター及び前記コメントの表示状態が変更された際、その変更を記憶部に記憶するチャート再現情報登録プログラムが実装されていることを特徴とする請求項１記載の外国為替証拠金取引支援システム。
【請求項３】
前記チャート再現情報送信プログラムは、前記記憶部に記憶されているチャート再現情報に変更があった場合、一定の時間間隔で自動的に又はリアルタイムでチャート再現情報を前記フォロワー端末に送信するプログラムであることを特徴とする請求項２記載の外国為替証拠金取引支援システム。
【手続補正２】
【補正対象書類名】明細書
【補正対象項目名】００１２
【補正方法】変更
【補正の内容】
【００１２】
上記課題を解決するため、本願の請求項１記載の発明は、外国為替証拠金取引を行うトレーダーが操作する端末であってトレーディングソフトウェアがインストールされているトレーダー端末と、トレーダーの投資手法を参考にして外国為替証拠金取引を行おうとする者であるフォロワーが操作する端末であってレーディングソフトウェアがインストールされている端末であるフォロワー端末との間で情報をやり取りする外国為替証拠金取引支援システムであって、
サーバと、
記憶部と
を備えており、
トレーディングソフトウェアは、選択された通貨ペアの為替レートの変動を示すグラフであるチャートをトレーダー端末上に表示できるものであって、当該チャートを、為替レートに関する指標であるインジケーターとトレーダーによるコメントとともに表示できるものであり、コメントはテキストであってトレーダーによる為替レートの変動に関する見解であり、
記憶部には、トレーダー端末に表示されているチャート、インジケーター及びコメントの情報を含むチャート再現情報が記憶されており、
サーバには、チャート再現情報をフォロワー端末に送信することでトレーダー端末と同じ状態でチャート、インジケーター及びコメントをフォロワー端末に送信するためのチャート再現情報送信プログラムが実装されているという構成を有する。
また、上記課題を解決するため、請求項２記載の発明は、前記請求項１の構成において、前記サーバには、前記トレーダー端末において、前記チャート、前記インジケーター及び前記コメントの表示状態が変更された際、その変更を記憶部に記憶するチャート再現情報登録プログラムが実装されているという構成を有する。
また、上記課題を解決するため、請求項３記載の発明は、前記請求項の構成において、前記チャート再現情報送信プログラムは、前記記憶部に記憶されているチャート再現情報に変更があった場合、一定の時間間隔で自動的に又はリアルタイムでチャート再現情報を前記フォロワー端末に送信するプログラムであるという構成を有する。
【国際調査報告】
2015075824.tif 000017
2015075824.tif 000018
2015075824.tif 000019
2015075824.tif 000020